(57)【要約】【課題】駆動手段及び伝達手段に対する外部からの不正具の接触を確実に防止し、開閉体を不正に開放状態とする不正行為を確実に防止可能な入賞装置を提供する。【解決手段】駆動ユニットは、遊技盤の左右方向に進退動作可能なプランジャを有するソレノイドと、プランジャの進退動作に連動して前後方向に回転し、開閉体を前後方向に進退移動させる伝達機構とを備え、ケーシングは、ソレノイドが配置される底壁部と、底壁部の後端部より立ち上がり、プランジャの左右方向への進退動作範囲の後方を閉塞する後壁部と、底壁部におけるプランジャが突出する側の側端部より立ち上がり、プランジャの先端側の側方を閉塞する側壁部とを備えた構成とした。【選択図】図３
2014104285.tif 000002
【特許請求の範囲】
【請求項１】
遊技盤の前後方向に進退移動可能に設けられ、前記遊技盤の遊技領域において上方に開口した入賞口への遊技球の進入を許容する第１の状態、及び前記入賞口への遊技球の進入を阻止又は困難とする第２の状態をとりえる開閉体と、
前記遊技盤の背面側においてケーシング内に収容され、前記開閉体を進退動作させる駆動ユニットと、
を備えた遊技機の入賞装置であって、
前記駆動ユニットは、前記遊技盤の左右方向に進退動作可能なプランジャを有するソレノイドと、
前記プランジャの進退動作に連動して前後方向に回転し、前記開閉体を前後方向に進退移動させる伝達機構と、
を備え、
前記ケーシングは、前記ソレノイドが配置される底壁部と、
前記底壁部の後端部より立ち上がり、前記プランジャの左右方向への進退動作範囲の後方を閉塞する後壁部と、
前記底壁部における前記プランジャが突出する側の側端部より立ち上がり、前記プランジャの先端側の側方を閉塞する側壁部と、
を備えたことを特徴とする入賞装置。
【請求項２】
前記側壁部に動作調整用の治具を挿入可能な挿入孔を設けたことを特徴とする請求項１記載の入賞装置。
【請求項３】
前記底壁部が前記側壁部側に向かうに従って上方に湾曲する湾曲形状を有することを特徴とする請求項１又は請求項２記載の入賞装置。
【請求項４】
請求項１乃至請求項３いずれかに記載の入賞装置を備えたことを特徴とする遊技機。
【発明の詳細な説明】
【技術分野】
【０００１】
本発明は、入賞装置に関し、特に遊技領域に打ち出された遊技球を入賞口内に取り込み可能な第１の形態と、取り込み不能な第２形態をとりえる入賞装置、及び当該入賞装置を備えた遊技機に関する。
【背景技術】
【０００２】
従来、遊技機の一例としてのパチンコ機の遊技盤には、アタッカー装置とも呼ばれる大入賞装置が搭載されている。大入賞装置の例として、特許文献１及び特許文献２には、遊技盤の上方に開口し、遊技領域に打ち出された遊技球を取り込む入賞口（大入賞口）と、遊技盤の前後方向に移動可能とされ、入賞口を閉鎖する閉鎖状態、及び入賞口を開放する開放状態の２つの形態を取り得る開閉手段と、当該開閉手段を前後方向に移動させるリンク機構等の伝達手段やソレノイド等の駆動手段とを含んで構成される駆動ユニットとを備えたものが開示されている。そして、これらの大入賞装置は、パチンコ機に搭載された主制御装置による所定の抽選の結果が「当り」（大当り）となったことに基づいて駆動ユニットのソレノイドを励磁し、リンク機構等の伝達手段を介して開閉手段を閉鎖状態から開放状態に変位させることにより、遊技領域内に打ち出された遊技球を入賞口内に取り込み可能とする。
【先行技術文献】
【特許文献】
【０００３】
【特許文献１】特開２００６−３４５９２５号公報
【特許文献２】特開２０１２−１０７４０号公報
【発明の概要】
【発明が解決しようとする課題】
【０００４】
しかしながら、特許文献１及び特許文献２に係るパチンコ機の大入賞装置にあっては、駆動ユニットを構成するリンク機構等の伝達手段とソレノイド等の駆動手段とが、遊技盤の背面側において外部に露出した状態で搭載されているため、一部の遊技者によって行われる不正行為を受け易いという欠点がある。当該不正行為の例としては、例えばパチンコ機前面のパネル扉や、払出口等の僅かな隙間から針金等の不正具を挿入，操作し、不正具の先端部を介してソレノイドのプランジャや伝達手段を動作させることにより、開閉体を開放状態とするようなことが考えられ、伝達手段と駆動手段とが外部に露出した各特許文献に係る大入賞装置では、このような不正行為が容易に実行可能となる。
【０００５】
本発明は上記課題を解決するため、伝達手段及び駆動手段に対する外部からの不正具の接触を防止し、開閉体を不正に開放状態とする不正行為を確実に防止可能な入賞装置を提供する。
【課題を解決するための手段】
【０００６】
上記課題を解決するため、遊技盤の前後方向に進退移動可能に設けられ、遊技盤の遊技領域において上方に開口した入賞口への遊技球の進入を許容する第１の状態及び入賞口への遊技球の進入を阻止又は困難とする第２の状態をとりえる開閉体と、遊技盤の背面側においてケーシング内に収容され、開閉体を進退動作させる駆動ユニットとを備えた遊技機の入賞装置であって、駆動ユニットは、遊技盤の左右方向に進退動作可能なプランジャを有するソレノイドと、プランジャの進退動作に連動して前後方向に回転し、開閉体を前後方向に進退移動させる伝達機構とを備え、ケーシングは、ソレノイドが配置される底壁部と、底壁部の後端部より立ち上がり、プランジャの左右方向への進退動作範囲の後方を閉塞する後壁部と、底壁部におけるプランジャが突出する側の側端部より立ち上がり、プランジャの先端側の側方を閉塞する側壁部とを備えた構成とした。
このような構成によれば、ケーシングの後壁部により、プランジャの左右方向への進退動作範囲の後方が閉塞され、側壁部により、プランジャの先端側の側方が閉塞されているため、開閉体を前後方向に進退移動させる駆動源となるプランジャへの外部からの不正具の接触を確実に防止でき、開閉体を不正に開放状態とする不正行為を確実に防止できる。
また、他の構成として、側壁部に動作調整用の治具を挿入可能な挿入孔を設けた構成とした。また、他の構成として、底壁部が側壁部側に向かうに従って上方に湾曲する湾曲形状を有する構成とした。
【発明の効果】
【０００７】
本発明に係る入賞装置によれば、駆動源となるプランジャへの外部からの不正具の接触を防止でき、開閉体を不正に開放状態とする不正行為を防止できる。
【図面の簡単な説明】
【０００８】
【図１】実施形態に係るパチンコ機の外観斜視図である。
【図２】図１に示すパチンコ機に搭載された遊技盤の正面図である。
【図３】実施形態に係る大入賞装置の組み付け構造を示す全体斜視図である。
【図４】大入賞口形成部品の概略断面図である。
【図５】ケーシング及び駆動ユニットの分解斜視図である
【図６】ケーシングの側面、及び大入賞口形成部品を示す部分断面図である。
【図７】ケーシングの背面図である。
【図８】パチンコ機の制御ブロック図である。
【発明を実施するための形態】
【０００９】
以下、図１〜図８を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の上下左右方向は、そのパチンコ機に対面する遊技者にとっての上下左右方向に一致させて説明する。
【００１０】
図１，図２に示すように、本実施形態に係る遊技機の一例としてのパチンコ機１は、遊技場の島設備に設置される縦長方形状の機枠２と、この機枠２の側部に軸着され、開閉自在に取り付けられた本体枠３と、当該本体枠３の内側に装着された遊技盤３０と、本体枠３の前面に軸着されて開閉自在に取り付けられ、中央に大きく設けられたガラス窓４Ａ及び当該ガラス窓４Ａの下方に設けられた受皿６を有するパネル扉４と、本体枠３の下部に配設された図外の発射装置と、パネル扉４の下部に取り付けられたハンドル７と、パネル扉４の左右の上部にそれぞれ設けられたスピーカ８、及びパネル扉４の内部に配設された図外の複数の発光部を備える。
【００１１】
受皿６の中央部には、操作部１０が配設される。操作部１０は、演出表示装置３００に表示されるカーソル等を移動するためのダイアル部と、ダイアル部によって移動されるカーソルと対応する項目を選択する際や、演出表示装置３００において展開される多様なボタン演出の際に押下されるボタン部とから構成される。
【００１２】
次に、遊技盤３０の構成について説明する。図２に示すように遊技盤３０は、略正方形状の盤状体であって、例えばアクリル樹脂などの光透過性部材によって形成される。遊技盤３０の前面には、図外の発射装置より打ち出された遊技球が流下可能な遊技領域３１が形成される。当該遊技領域３１は、遊技球を滑走させる外側ガイドレール２７と、当該外側ガイドレール２７の一部区間において外側ガイドレール２７に沿って延在する内側ガイドレール２８によって略円形状となるように区画形成されている。
【００１３】
遊技盤３０の前面には、遊技領域３１を流下する遊技球の流下方向を振り分ける多数の遊技釘や誘導風車等が設けられているほか、第１始動入賞部品６０、第２始動入賞部品６１、遊技盤３０の左側に配設された複数の一般入賞部品６４、遊技盤３０の右側に配設された一般入賞部品６５、第１大入賞装置７０、及び第２大入賞装置８０等の各種の入賞手段が設けられており、遊技球がこれらの入賞手段に取り込まれることにより、後述する主制御装置１００によって所定の抽選処理や賞球払出処理等の多様な処理が実行される。
一方で、これらの入賞部に取り込まれることなく遊技領域３１の最下部まで流下した遊技球は、遊技盤３０の前面に開設されたアウト口６３より回収され、パチンコ機１の外部に排出される。
【００１４】
また、遊技盤３０には、主制御装置１００による所定の抽選結果を１から９までの複数の数字や所定のキャラクター等からなる演出図柄の停止態様により遊技者に対して表示する演出表示装置３００や、主制御装置１００による所定の抽選結果を複数のＬＥＤランプの点灯態様や７セグメントランプの点灯態様により表示する図外の第１特別図柄表示装置、及び第２特別図柄表示装置等の各種の表示手段が設けられている。
【００１５】
第１始動入賞部品６０は、遊技盤３０の左右方向ほぼ中央に位置しており、遊技盤３０の前面と平行に止めねじ等の固定手段を介して配設される取り付け基盤５８の前面より前方に突出し、上方開口の入賞口６０Ａを有する突出壁部５９Ａにより構成される。
入賞口６０Ａは遊技球の直径よりも僅かに大径に設定されており、上方から流下してきた遊技球を内部に取り込み可能とされている。入賞口６０Ａ内に取り込まれた遊技球は、当該入賞口６０Ａと連通し、遊技盤３０を前後方向に貫通するように開設された図外の誘導口を介して遊技盤３０の後方に排出される。また、当該誘導口には、後述の主制御装置１００と電気的に接続される図外の第１始動口検出センサＳＳ１が配設されており、第１始動入賞部品６０への遊技球の入賞が検出される。
【００１６】
第２始動入賞部品６１は、第１始動入賞部品６０の直下に位置しており、上述の取り付け基盤５８の下部前面より前方に突出し、上方開口の入賞口６１Ａを有する突出壁部５９Ｂと、当該突出壁部５９Ｂの内部において開閉動作する一対の開閉体６１Ｂとから構成される。入賞口６１Ａは、前述の入賞口６０Ａと同様に、遊技球の直径よりも大径に設定されており、開閉体６１Ｂの開放動作によって誘導された遊技球を内部に取り込み可能とされている。また、入賞口６１Ａ内に取り込まれた遊技球は、当該入賞口６１Ａと連通し、遊技盤３０を前後方向に貫通するように開設された図外の誘導口を介して遊技盤３０の後方に排出される。当該誘導口には、前述の誘導口と同様に、後述の主制御装置１００と電気的に接続される図外の第２始動口検出センサＳＳ２が配設されており、第２始動入賞部品６１への遊技球の入賞が検出される。
【００１７】
開閉体６１Ｂは、主制御装置１００から出力される駆動信号に基づいて駆動するソレノイドＳＯＬ２等の駆動手段の駆動によって左右方向に回動動作する一対の羽根部材により構成される。当該一対の羽根部材は、突出壁部５９Ｂの内部において回動自在に支持された回転軸を中心として回動し、反端の自由端部が互いに近づいた閉鎖状態、及び自由端部が互いに離間した開放状態の２つの形態をとり得る。開閉体６１Ｂが閉鎖状態にある場合において、一対の羽根部材の自由端部と、その上方に位置する突出壁部５９Ａとの間隔は遊技球の直径よりも狭くなり、当該状態においては遊技球の入賞口６１Ａへの入賞が阻止される。
一方、開閉体６１Ｂが開放状態にある場合において、一対の羽根部材の自由端部と、その上方に位置する突出壁部５９Ａとの間隔は遊技球の直径よりも広くなり、当該状態においては、遊技球の入賞口６１Ａへの入賞が許容される。また、上述のように開閉体６１Ｂの開閉動作は、主制御装置１００からの駆動信号に基づいて実行され、主制御装置１００は、後述する所定の抽選結果に基づいて開閉体６１Ｂを開閉動作させる。
【００１８】
複数の一般入賞部品６４は、遊技盤３０の左側に位置し、遊技盤３０の前面と平行に止めねじ等の固定手段を介して配設される左側取り付け基盤６３より前方に突出し、上方開口の入賞口６４Ａを有する円形状の突出壁部６４Ｂにより構成される。各入賞口６４Ａは、遊技球の直径よりも僅かに大径に設定されており、上方から流下してきた遊技球を内部に取り込み可能とされている。入賞口６４Ａ内に取り込まれた遊技球は、当該入賞口６４Ａと連通し、遊技盤３０を前後方向に貫通するように開設された図外の誘導口を介して遊技盤３０の後方に排出される。また、当該誘導口には、後述の主制御装置１００と電気的に接続される図外の一般入賞口検出センサＩＳが配設されており、各一般入賞部品６４への遊技球の入賞が検出される。
【００１９】
遊技盤３０の右側部に配設された単一の一般入賞部品６５は、後述する飾り盤ユニット９０を構成する取り付け基盤９１より前方に突出し、上方開口の入賞口６５Ａを有する突出壁６５により構成される。入賞口６５Ａは、上述の各入賞口６４Ａ等と同様に遊技球の直径よりも僅かに大径に設定されており、上方から流下してきた遊技球を内部に取り込み可能とされている。また、入賞口６５Ａ内に取り込まれた遊技球は、当該入賞口６５Ａと連通し、遊技盤３０を前後方向に貫通するように設けられた誘導路６６を介して遊技盤３０の後方に排出される。また、当該誘導路６６には、後述の主制御装置１００と電気的に接続される図外の一般入賞口検出センサＩＳが配設されており、一般入賞部品６５への遊技球の入賞が検出される。
【００２０】
次に、第１大入賞装置７０、及び第２大入賞装置８０について説明する。第１大入賞装置７０、及び第２大入賞装置８０は、ともに後述の主制御装置１００による所定の抽選の結果が「当り」（大当り）となったことに基づいて実行される特別遊技（大当り遊技）中において動作する入賞装置であって、当該特別遊技においていずれかの入賞装置が動作することにより、遊技者は大量の賞球の払出しを受けることが可能となる。
【００２１】
第１大入賞装置７０は、第２始動入賞部品６１の直下に位置する入賞装置であって、遊技盤３０の前面と平行に止めねじ等の固定手段を介して配設される中央飾り基盤６７に開設された横長矩形状の大入賞口７０Ａと、当該大入賞口７０Ａを閉鎖状態又は開放状態に維持する大入賞口開閉体７０Ｂとを備える。大入賞口７０Ａは、遊技盤３０前後方向に貫通するように開設された図外の誘導口と連通しており、当該大入賞口７０Ａ内に取り込まれた遊技球は、遊技盤３０の後方に排出される。また、当該誘導口には、後述の主制御装置１００と電気的に接続される図外の第１大入賞口検出センサＴＳ１が配設されており、大入賞口７０Ａへの遊技球の入賞が検出される。
【００２２】
大入賞口開閉体７０Ｂは、主制御装置１００から出力される駆動信号に基づいて駆動するソレノイドＳＯＬ１等の駆動手段の駆動によって、大入賞口７０Ａの下部において遊技盤３０の左右方向に延在する回転軸を中心として前後方向に回動白在に設けられた大入賞口７０Ａの形状とほぼ同じ矩形状の蓋部材である。当該蓋部材が遊技盤３０の前面と平行となり、大入賞口７０Ａの前方を閉塞した状態は、大入賞口７０Ａの閉鎖状態であり、蓋部材が大入賞口７０Ａの下部において延在する回転軸を中心として回動し、蓋部材の上縁部が前方に傾動した状態は大入賞口７０Ａの開放状態である。そして、大入賞口開閉体７０Ｂが閉鎖状態である場合には、遊技球の大入賞口７０Ａへの入賞が阻止され、大入賞口開閉体７０Ｂが開放状態である場合には、遊技球が開放状態にある蓋部材の上面によって後方に誘導され、大入賞口７０Ａへの入賞が許容される。
【００２３】
次に、本願の主要な構成に係る第２大入賞装置８０について詳説する。図２に示すように、第２大入賞装置８０は、遊技盤３０の右側の領域に配設されており、遊技者は第２大入賞装置８０の動作中において、遊技球を遊技領域３１の右側部に向けて打ち出すことが必要となる。同図に示すように、遊技領域３１における左右方向中心よりも右側の遊技領域Ｒ１は、外側ガイドレール２７と中央役物機構５５とにより、その流路幅が遊技球の直径よりも僅かに広い程度に限定されており、第２大入賞装置８０の動作中において遊技球が遊技領域Ｒ１側に打ち出された場合には、極めて高い確率で大入賞口８０Ａ内に取り込まれることとなる。
【００２４】
ここで、遊技領域Ｒ１を形成する中央役物機構５５は、遊技盤３０の前面に対して複数の固定手段を介して突設された枠状部材である。中央役物機構５５は、演出表示装置３００の表示画面３００Ａの上方、及び左右方向を取り囲むように延在し、その前面に多様な意匠が施されている。中央役物機構５５の前面と、ガラス窓４Ａが閉じられた場合におけるガラス窓４Ａの後面との離間距離は、遊技球の直径よりも狭い間隔で近接しており、中央役物機構５５よりも前側において遊技球が流下することはできない。つまり、遊技領域３１の上部に到達した遊技球は、中央役物機構５５の傾斜に沿って、遊技領域３１における左右方向中心よりも右側の遊技領域Ｒ１、又は遊技領域３１における左右方向中心よりも左側の遊技領域Ｌ１の方向に向けて流下することとなる。また、演出表示装置３００は、その表示画面３００Ａ上において１から９までの数字や所定のキャラクターからなる演出図柄や、その他の画像，動画を表示可能である。
【００２５】
図３は、遊技領域Ｒ１側に配設される第２大入賞装置８０の組み付け構造を示す全体斜視図である。同図に示すように、第２大入賞装置８０は、遊技盤３０の前面に突設された上方開放の大入賞口８０Ａを閉鎖状態又は開放状態とする開閉体８００と、遊技盤３０の背面側においてケーシング７００に収容された状態で固定され、開閉体８００を遊技盤３０の前後方向に進退自在に移動させる駆動ユニット８５０とを備える。
【００２６】
同図に示すように、大入賞口８０Ａは、遊技領域Ｒ１側において遊技盤３０の前面に配設された飾り盤ユニット９０内に設けられる。飾り盤ユニット９０は、遊技盤３０の前面と平行に止めねじ等の固定手段を介して配設される取り付け基盤９１と、当該取り付け基盤９１の前方に遊技球の直径以上の間隔を持って対向した状態で組み付けられる前方基盤９２を有する。取り付け基盤９１及び前方基盤９２は、ほぼ三日月状の全体形状を呈する板材であって、取り付け基盤９１から前方に突出し、前方の前方基盤９２の背面に接続される複数の壁部によって所定の間隔を保って対向する。以下、遊技球の流下方向を左右する複数の主要な壁部について説明する。
【００２７】
取り付け基盤９１の右側上方には、遊技領域Ｒ１を経て下方に流下した遊技球を遊技盤３０の中央方向、換言すれば大入賞口８０Ａの方向に誘導する誘導壁９３が形成される。当該誘導壁９３は、遊技盤３０の右側から左側に向かって漸次下傾斜し、遊技領域Ｒ１を経た遊技球の全てが誘導壁９３の壁面の傾斜に沿って遊技盤３０の中央方向に誘導される。
また、当該誘導壁９３の壁面には、遊技球の落下の衝撃を抑制するゴム等の緩衝部材が設けられている。誘導壁９３の左側端部には、遊技盤３０の右側に向かって漸次傾斜しつつ下方に延在する傾斜壁９４が連接して形成される。当該傾斜壁９４は、取り付け基盤９１及び前方基盤９２の下端部同士を接続する下部壁９５に連接する。下部壁９５は、誘導壁９３の右側端部と連接し、下方に向けて円弧状に延在する壁部であって、取り付け基盤９１及び前方基盤９２における円弧上の下端部同士を接続する。当該円弧上に延在する下部壁９５の表面は、図２に示す外側ガイドレール２７の表面と当接しており、下部壁９５と外側ガイドレール２７との間を遊技球が流下することは不可能とされている。また、円弧上に延在する下部壁９５の途中には、遊技盤３０の左側に向けて漸次する下傾斜しつつ、ほぼ直線的に延在する排出誘導壁９６が形成される。当該排出誘導壁９６は、後述するユニット挿入孔９００よりも下方において下部壁９５より分岐して後述のユニット挿入孔９００の下側縁部９０２とほぼ平行に延在する。また、下部壁９５、及び排出誘導壁９６の左側端部には、接続壁９７が連接される。
【００２８】
下部壁９５と、当該下部壁９５より分岐する排出誘導壁９６は、上方に位置する誘導壁９３によって遊技盤３０の中央方向に誘導された遊技球の一部をアウト口６３の方向に誘導する流路として機能する。具体的には、誘導壁９３から傾斜壁９４の方向へ流下した遊技球をアウト口６３方向に誘導する。
【００２９】
次に、取り付け基盤９１に開設されたユニット挿入孔９００と、当該ユニット挿入孔９００の周囲に突設された複数の壁部について説明する。ユニット挿入孔９００は、取り付け基盤９１の前後方向に開口するほぼ横長矩形状の孔であって、当該ユニット挿入孔９００には、その後方からユニット挿入孔９００とほぼ同一の外郭形状を呈する大入賞口形成部品６００が挿入される。より詳細には、ユニット挿入孔９００は、遊技盤３０の右側から左側に向かって漸次下傾斜しつつ直線的に延在する上側縁部９０１と、当該上側縁部９０１と平行に延在する縁部９０２Ａ、当該縁部９０２Ａと連続して遊技盤３０の右側から左側に向かって僅かに下傾斜した後に折れ曲がり、上方に傾斜する縁部９０２Ｂ、当該縁部９０２Ｂと連続し、遊技盤３０の右側から左側に向かって僅かに上傾斜する縁部９０２Ｃよりなる下側縁部９０２と、これら上側縁部９０１及び下側縁部９０２とを接続する右側縁部９０３、及び左側縁部９０４により形成される。
【００３０】
下側縁部９０２を構成する縁部９０２Ｂと対応する位置には、当該縁部９０２Ｂと面一となるように前方に突出する下部位置決め壁９１０が形成される。下部位置決め壁９１０は、縁部９０２Ｂに沿って延在する領域と、縁部９０２Ｂと縁部９０２Ｃとが交わる位置において、上方に突出する領域とを有する正面視ほぼＬ字状を呈する。当該Ｌ字状の下部位置決め壁９１０は、ユニット挿入孔９００に後方より大入賞口形成部品６００が挿入された場合において、大入賞口形成壁部６１０に形成された段部６１５と係合し、取り付け基盤９１に対する大入賞口形成部品６００の位置が決定される。また、左側縁部９０４と対応する位置には、当該左側縁部９０４と面一となるように前方に突出する側部位置決め壁９１５が形成される。当該側部位置決め壁９１５は、左側縁部９０４の形状と対応するようにくの字状に屈曲しており、その上端部が、大入賞口形成壁部６１０を構成する左側壁６１０Ｄの表面と当接し、当該左側壁６１０Ｄを取り囲むように保持する。また、取り付け基盤９１に設けられたユニット挿入孔９００の側部には、一対の係合ボス９００Ａ；９００Ｂが突設される。係合ボス９００Ａ；９００Ｂは、取り付け基盤９１の背面から後方に延在する筒状体であって、当該係合ボス９００Ａ；９００Ｂには、後述のケーシング７００を構成する上部ケース７３０の左側壁７４８及び右側壁７４４の表面より突設して設けられた一対の係合部７３０Ａ；７３０Ｂがそれぞれ挿通される。また、係合ボス９００Ａ；９００Ｂの先端部には、止めねじを螺入可能なネジ穴が設けられており、係合ボス９００Ａ；９００Ｂに対して一対の係合部７３０Ａ；７３０Ｂが挿通された状態で止めねじを螺入することにより、取り付け基盤９１の前後に亘って大入賞口形成部品６００及び駆動ユニット８５０が収容されたケーシング７００が一体的に組み付けられる。
【００３１】
次に、飾り盤ユニット９０を構成する取り付け基盤９１のユニット挿入孔９００を介して遊技盤３０に取り付けられる大入賞口形成部品６００について説明する。大入賞口形成部品６００は、取り付け基盤９１のユニット挿入孔９００を介して遊技盤３０に取り付けられることにより、遊技盤３０の右側の遊技領域Ｒ１において上方に開口する大入賞口８０Ａを形成する遊技部品である。
【００３２】
図３，図４に示すとおり、大入賞口形成部品６００は、ユニット挿入孔９００内に挿入された状態において、取り付け基盤９１よりも前方に突出し、その前端縁が前方基盤９２の背面と当接する大入賞口形成壁部６１０と、当該大入賞口形成壁部６１０から取り付け基盤９１よりも後方に突出し、大入賞口形成壁部６１０により形成される大入賞口８０Ａを閉鎖状態又は開放状態とする開閉体８００の前後方向への進退動作をガイドするガイド部６２０とを有する。また、当該大入賞口形成部品６００は、取り付け基盤９１の背面より後方に突出する図外の位置決め突起を挿通可能な係止孔を有する左右の取り付け片９０５Ａ；９０５Ｂにより位置決めされる。取り付け片９０５Ａ；９０５Ｂは、取り付け基盤９１の背面と当接する片部であって、当該取り付け片９０５Ａ；９０５Ｂを取り付け基盤９１の背面と当接した状態で組み付けることにより、大入賞口形成壁部６１０が取り付け基盤９１よりも前方に突出した状態となる。
【００３３】
次に、大入賞口８０Ａを形成する大入賞口形成壁部６１０について説明する。大入賞口形成壁部６１０は、ユニット挿入孔９００の形状とほぼ同様の横長矩形状の背壁６１０Ａと、背壁６１０Ａの下端部より前方に突出し、前述したユニット挿入孔９００の下側縁部９０２の一部を構成する縁部９０２Ａと平行に遊技盤３０の右側から左側に向かって漸次下傾斜しつつ直線的に延在する底壁６１０Ｂと、背壁６１０Ａの右端部より前方に突出するとともに、ユニット挿入孔９００の右側縁部９０３に対応して底壁６１０Ｂの右端部より折曲部を介して上方に立ち上がる右側壁６１０Ｃと、背壁６１０Ａの左端部より前方に突出するとともに、ユニット挿入孔９００の左側縁部９０４に対応して底壁６１０Ｂの左端部に形成された段部６１５を介して上方に立ち上がる左側壁６１０Ｄとから構成される。
段部６１５は、底壁６１０Ｂの左端部において下方に突出する複数の壁面により構成されており、当該段部６１５の表面は、前述のＬ字状の下部位置決め壁９１０により保持される。
【００３４】
また、右側壁６１０Ｃの上端部側には、底壁６１０Ｂと平行となるように、底壁６１０Ｂの中央方向に僅かに延在する屋根壁６１０Ｅ、及び前方ガイド壁６１６とが上下に対向して形成される。また、左側壁６１０Ｄの上端部には、底壁６１０Ｂと平行となるように、底壁６１０Ｂの中央方向に僅かに延在する屋根壁６１０Ｆが形成される。当該左側壁６１０Ｄの上端部に形成された屋根壁６１０Ｆと、右側壁６１０Ｃに形成された屋根壁６１０Ｅとは、同一の高さに形成されており、当該屋根壁６１０Ｅ；６１０Ｆ間に上方に向けて開口する大入賞口８０Ａが形成される。また、屋根壁６１０Ｅ；６１０Ｆ上には、左右方向に亘って延在する開閉体８００が、大入賞口８０Ａを形成する屋根壁６１０Ｅ；６１０Ｆ間を閉塞するように位置する。開閉体８００の右側端部は、屋根壁６１０Ｅと前方ガイド壁６１５とにより上下面が取り囲まれており、開閉体８００は、駆動ユニット８５０の動作に伴う遊技盤３０の後方への移動時（開放動作時）に屋根壁６１０Ｅと前方ガイド壁６１６とによりガイドされる。なお、本例においては、開閉体８００が左下傾斜の状態であることに起因して生じ得る球詰まりを回避する観点から、右側壁６１０Ｃのみにガイド壁６１６を設けた構成としたが、左側壁６１０Ｄの上部にも底壁６１０Ｂと平行なガイド壁を設けた構成としてもよい。
【００３５】
以上のとおり、大入賞口形成壁部６１０は、取り付け基盤９１の前面よりも前方、換言すれば遊技領域Ｒ１上においてその上方、及び前方が開口した横長矩形の入賞空間Ｐ１を形成し、その上方の開口部（大入賞口８０Ａ）は、開閉体８００の前後方向への進退動作により閉鎖状態又は開放状態に維持される。つまり、開閉体８００は、遊技盤３０の前後方向への進退動作により、大入賞口８０Ａへの遊技球の進入を阻止する第１の状態（閉鎖状態）と、大入賞口８０Ａへの遊技球の進入を許容する第２の状態（開放状態）の２つの状態を取り得る部品であって、当該開閉体８００の進退動作は、後述の駆動ユニット８５０の動作により具現化される。なお、大入賞口形成壁部６１０の前方の開口部は、その前方に位置する前方基盤９２の背面によって閉塞されるため、入賞空間Ｐ１への進入経路は、上方の開口部、即ち大入賞口８０Ａに限定されることとなる。そして、開閉体８００の開放動作により大入賞口８０Ａより入賞空間Ｐ１内に進入した遊技球は、底壁６１０Ｂの傾斜に沿って遊技盤３０の中央方向に誘導され、背壁６１０Ａの左側において遊技球の直径よりも広く開設された排出孔６１８より後方に排出される。なお、当該排出孔６１８より排出された遊技球は、主制御装置１００と接続され、後述するケーシング７００内に収容された第２大入賞口検出センサＴＳ２により検出される。
【００３６】
次に、上記大入賞口８０Ａを閉鎖状態又は開放状態とする開閉体８００、及び当該開閉体８００をガイドする大入賞口形成部品６００のガイド部６２０の構造について説明する。
図３に示すように、開閉体８００は、大入賞口８０Ａの左右方向の寸法よりも長い寸法を有し、大入賞口形成壁部６１０の左右の屋根壁６１０Ｅ；６１０Ｆ上に亘って延在する。また、開閉体８００は、底壁６１０Ｂと平行となるように、右側から左側に向かって漸次下傾斜（左下傾斜）するように設けられている。また、図４に示すように開閉体８００の前後方向の寸法は、閉鎖時に大入賞口８０Ａ上を覆うように、左右の屋根壁６１０Ｅ；６１０Ｆの前後方向の寸法よりも長く設定される。
【００３７】
図３，図４に示すように、開閉体８００の後部下面には、下方に突出するボス部８１０Ａ；８１０Ｂが形成される。ボス部８１０Ａ；８１０Ｂは、開閉体８００の左右方向に所定の間隔を隔てて形成される突起であり、当該ボス部８１０Ａ；８１０Ｂは、後述する駆動ユニット８５０を構成する一対のリンク８８０Ａ；８８０Ｂに形成されたリンク孔８８４；８８４内にそれぞれ挿通される。つまり、開閉体８００は、ボス部８１０Ａ；８１０Ｂ及びリンク孔８８４；８８４を介して駆動ユニット８５０側と連結されており、後述のソレノイド８６０の励磁又は消磁によって一対のリンク８８０Ａ；８８０Ｂが水平方向に回転動作することにより、遊技盤３０の前後方向に進退動作する。
【００３８】
また、開閉体８００は、取り付け基盤９１より後方に突出するガイド部６２０によりその周囲が取り囲まれている。ガイド部６２０は、前述の背壁６１０Ａの上端部から後方に突出するガイド底壁６２０Ａと、当該ガイド底壁６２０Ａの両端部から上方に立ち上がる左右のガイド側壁６２０Ｂ；６２０Ｃと、当該ガイド側壁６２０Ｂ；６２０Ｃ間に亘って延在するガイド上壁６２０Ｄとから構成される。つまり、開閉体８００は、取り付け基盤９１より後方に突出する断面矩形状のガイド部６２０内において前後方向に移動可能に設けられている。また、開閉体８００の後方への移動限界位置は、ガイド側壁６２０Ｂ；６２０Ｃより後方に延在する鉤状の規制部６３０Ａ；６３０Ｂにより規制されている。具体的には、開閉体８００が後方へ移動した場合において、規制部６３０Ａ；６３０Ｂの後端部に形成された鉤部６３５が開閉体８００の後端縁と当接することにより、開閉体８００がガイド部６２０から後方に脱落することが阻止される。
【００３９】
次に、大入賞口形成部品６００の後方に配設され、ケーシング７００内に収容された駆動ユニット８５０の構造について説明する。図５乃至図７は、ケーシング７００と、当該ケーシング７００内に収容される駆動ユニット８５０の構造を示す分解斜視図、背面図、及び部分断面図である。同図に示すとおり、内部に駆動ユニット８５０を収容可能なケーシング７００は、下部ケース７１０と、上部ケース７３０とが互いに複数の止めねじを介して上下方向に組み付けられることにより一体化され、一体化された状態において内部に収容された駆動ユニット８５０を構成するソレノイド８６０のプランジャ８６０Ａ及びクランク８７０の周囲を取り囲み、外部からの不正具などの接触を阻止する。ケーシング７００を構成する下部ケース７１０、及び上部ケース７３０は、例えば内部を視認可能な透明な樹脂により構成されており、内部に収容される駆動ユニット８５０のメンテナンスを容易に行うことが可能とされる。
【００４０】
図５に示すように、下部ケース７１０は、上方及び後方が開口した箱型に形成されており、部品収容室としてのソレノイド収容室７１１と、当該ソレノイド収容室７１１の前方に位置するクランク保持室７１５、及び遊技球を後方に誘導する球誘導室７２３等の各収容室を有する。ソレノイド収容室７１１は、遊技盤３０の左右方向に亘って直線的に延在する平坦部７１１Ａ、及び当該平坦部７１１Ａと連続し、その上面側に配置されるソレノイド８６０のプランジャ８６０Ａが突出する側において上方に向かって湾曲する湾曲面７１１Ｂとから形成される底壁７１２と、当該底壁７１２の前端縁に沿って上方に立ち上がる前壁７１３、及び後述する球誘導室７２３との境界として、ソレノイド収容室７１１及びクランク保持室７１５とに亘って延在する仕切り壁７１４により区画される。
【００４１】
ソレノイド収容室７１１を形成する底壁７１２上には、ソレノイド８６０が横倒しされた状態で配設される。より詳細には、ソレノイド８６０は、平坦部７１１Ａを上下に貫通する止めねじ等の固定手段により平坦部７１１Ａ上に固定され、当該ソレノイド８６０より突出するプランジャ８６０Ａは、湾曲部７１１Ｂ側に向けて突出する。また、底壁７１２におけるソレノイド８６０の左端部と仕切り壁７１４との間の領域には、上方に向けて突出する位置決めボス部７１２Ａが形成される。当該位置決めボス部７１２Ａの先端部は、上部ケース７３０が下部ケース７１０に対して被せられた場合に、上部ケース７３０の上壁７３１の下面に形成された位置決め部７３１Ａと嵌り合うとともに、上部ケース７３０の上方から螺入される固定手段としての止めねじを螺入可能なネジ穴を有する。
【００４２】
クランク保持室７１５は、前記前壁７１３の上端縁に沿って前方に突出する平坦な底壁７１６と、当該底壁７１６の前端縁において上方に立ち上がり、左右方向に延在して形成されたリブ状の係合壁７１７、及び前述の仕切り壁７１４の前半部により区画される。
つまり、ソレノイド収容室７１１とクランク保持室７１５とは、所定の段差（前壁７１３の高さ）を介して前後方向に隣接するように設けられている。また、底壁７１６上には、ソレノイド８６０のプランジャ８６０Ａの先端部に連結されるクランク８７０の回転中心部８７０Ａを保持するクランクピン挿入部７１８と、クランクガイド部７２０とが設けられる。
【００４３】
クランクピン挿入部７１８は、底壁７１６の上面より上方に突出し、中心部にクランクピン８７５を挿入可能な挿入孔７１８Ａを有する円筒状である。当該挿入孔７１８Ａには、クランク８７０の回転中心部８７０Ａに挿通されるクランクピン８７５の下端部が挿入され、当該クランクピン８７５を回転自在に保持する。クランクガイド部７２０は、底壁７１６の上面より上方に突出し、前後方向に亘って湾曲して延在するリブである。当該クランクガイド部７２０の上面には、クランク８７０の作用部８７２の下面に突設された摺動突起８７２Ｂが当接し、クランク８７０の回転動作をガイドする。
【００４４】
上述のクランクピン挿入部７１８を介してクランク保持室７１５上に配設されるクランク８７０は、一端部が前述のプランジャ８６０Ａの先端部に対して回転自在に連結され、他端部が後述のリンク８８０Ｂと連結ピン８８１を介して連結されるＬ字状部品である。
具体的には、クランク８７０は、プランジャ８６０Ａの先端部と連結ピン８６２を介して連結されるとともにソレノイド収容室７１１及びクランク保持室７１５間の段差を超えて前方に延在する基部８７１と、当該基部８７１に対してほぼ直角に折れ曲がり、下部ケース７１０の中央側に向かって延在する作用部８７２とを有する。また、基部８７１と作用部８７２との接続部には、円筒状の回転中心部８７０Ａが設けられる。
【００４５】
回転中心部８７０Ａは、棒状のクランクピン８７５が上下方向に貫通可能な円孔を有しており、当該クランクピン８７５の下端部は、前述の挿入孔７１８Ａ内に挿通され、その上端部は、後述する上部ケース７３０の上壁７３１の下面に形成されたクランクピン挿入部７３１Ｂ内に挿通される。つまり、クランク８７０は、ソレノイド８６０のプランジャ８６０Ａの左右方向への進退動作に連動して回転中心部８７０Ａを回転中心として回転する伝達機構であって、平面視した場合、クランク８７０の作用部８７２は、矢印で示す前後方向（Ｘ−Ｙ方向）に変位する。
【００４６】
次に、下部ケース７１０の球誘導室７２３について説明する。球誘導室７２３は、ソレノイド収容室７１１及びクランク保持室７１５の前後方向に亘って延在する仕切り壁７１４を境界とする領域であって、仕切り壁７１４と平行に対向する左側壁７２５、当該側壁７２５と仕切り壁７１４の下端同士を接続する底壁７２６、及び底壁７２６の後端縁より立ち上がり、仕切り壁７１４と左側壁７２５の後端縁同士を接続する後壁７２７により区画され、上方及び前方が開口する。
【００４７】
底壁７２６の前端部において仕切り壁７１４と左側壁７２５とにより形成される開口部は、前述の大入賞口形成壁部６１０に設けられた排出孔６１８と連通する開口であって、排出孔６１８及び上記開口部を経て底壁７２６上に誘導された遊技球は、底壁７２６上に突設され、後方に向かうに従って下傾斜する誘導リブ７２６Ａによって底壁７２６の後方に誘導され、第２大入賞口検出センサＴＳ２によって検出された後に遊技球排出孔７２６Ｂより排出される。遊技球排出孔７２６Ｂは、底壁７２６の後方において開設された貫通孔であって、遊技球の直径よりも大径に形成される。
また、底壁７２６における誘導リブ７２６Ａの後方には、上部ケース７３０に設けられた後述のセンサ収容部７６０に配設された第２大入賞口検出センサＴＳ２が設けられており、誘導リブ７２６Ａ上を伝って後方に誘導される遊技球は当該第２大入賞口検出センサＴＳ２の検出孔を通過した後に、遊技球排出孔７２６Ｂを経てケーシング７００外に排出される。
【００４８】
次に、上記構成からなる下部ケース７１０に対して被せられる上部ケース７３０について説明する。上部ケース７３０は、ケーシング７００の下部壁を構成する前述の下部ケース７１０の底壁７１２、底壁７１６及び底壁７２６と対向し、ケーシング７００の上部壁を構成する上壁７３１と、当該上壁７３１の前端縁より下方に垂下する前壁７３４と、当該前壁７３４の一部区間において対向して上壁７３１の後端縁より下方に垂下する後部閉塞壁７４０と、上壁７３１の右端縁より下方に垂下する右側壁７４４と、上壁７３１の左側において下方に垂下する仕切り壁７４６、及び左側壁７４８とから構成される。
【００４９】
上壁７３１は、上方開口の下部ケース７１０の全体形状と対応する横長矩形状であって、下部ケース７１０と組み付けられた状態において下部ケース７１０の上方開口、換言すれば、下部ケース７１０に形成されたソレノイド収容室７１１，クランク保持室７１５、及び球誘導室７２３の上部を全域に亘って閉塞する。
【００５０】
上壁７３１には、一対のリンク８８０Ａ；８８０Ｂの回転中心部８８２Ａ；８８２Ｂをそれぞれ回転自在に保持するボス部７３３Ａ；７３３Ｂと、前述の開閉体８００に形成されたボス部８１０Ａ；８１０Ｂの下端部の動作を前後方向にガイドするガイド部７３５Ａ；７３５Ｂと、リンク８８０Ｂの下面から下方に突出する連結ピン８８１を挿通可能とする連結ピン貫通孔７３７と、前記ボス部７３３Ａ；７３３Ｂとの間でリンク８８０Ａ；８８０Ｂの回転中心部８８２Ａ；８８２Ｂを回転自在に挟持支持するリンク固定板８９０の取り付け台座７４５、及びセンサ収容部７６０とが形成される。
【００５１】
ボス部７３３Ａ；７３３Ｂは、上壁７３１における前後方向の同一位置において左右方向に離間して、上壁７３１の上面から上方に突設される筒状体であって、その中心部には、リンク８８０Ａ；８８０Ｂの回転中心部８８２Ａ；８８２Ｂに挿通されるリンクピン８８３の下端部を挿入可能な挿入孔が設けられる。
ガイド部７３５Ａ；７３５Ｂは、ボス部７３３Ａ；７３３Ｂよりも左右方向外側に離間して設けられる。ガイド部７３５Ａ；７３５Ｂは、上壁７３１の上面から上方に突設される前後方向に長い円環状の壁面により形成され、当該円環状の壁面内には、前述の開閉体８００に形成されたボス部８１０Ａ；８１０Ｂの先端部が摺接可能な状態で挿入される。
つまり、開閉体８００のボス部８１０Ａ；８１０Ｂが、リンク孔８８４；８８４を経て前後方向に長いガイド部７３５Ａ；７３５Ｂに挿入されることにより、ソレノイド８６０の動作に基づく一対のリンク８８０Ａ；８８０Ｂの回転動作に連動する開閉体８００の動作（進退動作）が前後方向に規制されることとなる。なお、ソレノイド８６０の動作に基づく開閉体８００の開閉動作の詳細については後述する。
【００５２】
連結ピン貫通孔７３７は、上壁７３１を上下方向に貫通し、前後方向に湾曲した孔であって、その湾曲形状は、リンク８８０Ｂの回転軌跡と対応している。図５に示すように、連結ピン貫通孔７３７内には、上壁７３１上に位置するリンク８８０Ｂの下面から下方に突出する連結ピン８８１が挿入され、当該連結ピン８８１の下端部は、前述のクランク８７０の作用部８７２の先端部に形成された連結孔８７２Ａ内に回転自在に挿入される。つまり、連結ピン貫通孔７３７を貫通する連結ピン８８１を介して、ケーシング７００内に収容されたソレノイド８６０及びクランク８７０と、ケーシング７００上に配設された一対のリンク８８０Ａ；８８０Ｂの連結が確保される。
【００５３】
取り付け台座７４５は、上壁７３１の後方において上壁７３１の上面から上方に立ち上がる平板状であって、その中央部には上端部に止めねじを螺入可能な係止部７４１が形成され、左右方向の端部には、リンク固定板８９０に穿設された位置決め孔８９１Ｂ；８９１Ｃに挿入可能な突起を有する位置決め部７４２Ａ；７４２Ｂが形成される。また、当該取り付け台座７４５上には、係止部７４１及び位置決め部７４２Ａ；７４２Ｂを介してリンク固定板８９０が取り付けられる。
【００５４】
リンク固定板８９０は、取り付け台座７４５の上端部から前方に向けて延在する板状体であって、左右方向中央部に穿設されたネジ穴８９１Ａ、左右方向両端部に穿設された位置決め孔８９１Ｂ；８９１Ｃを有する取り付け片部８９１と、当該取り付け片部８９１と連続し、左右方向に離間して前方に延在する一対のリンク保持片８９２Ａ；８９２Ｂを有する門型状に形成される。
【００５５】
リンク固定板８９０は、取り付け片部８９１に形成された位置決め孔８９１Ｂ；８９１Ｃを介して前述の位置決め部７４２Ａ；７４２Ｂと位置決めされ、ネジ穴８９１Ａの上方から固定手段としての止めねじが螺入されることにより、取り付け台座７４５上に固定される。
【００５６】
リンク保持片８９２Ａ；８９２Ｂの先端部には、前述のボス部７３３Ａ；７３３Ｂの位置と上下方向に対応する挿入孔が開設される。当該挿入孔には、前述のボス部７３３Ａ；７３３Ｂに形成された挿入孔によって回転自在に保持されたリンクピン８８３の上端部が回転自在に挿入される。つまり、リンクピン８８３を備えた一対のリンク８８０Ａ；８８０Ｂは、上壁７３１の上方において、ボス部７３３Ａ；７３３Ｂ、及びこれに対応するリンク保持片８９２Ａ；８９２Ｂによって上下方向から挟持されるように回転自在に支持される。
【００５７】
次に、一対のリンク８８０Ａ；８８０Ｂについて説明する。リンク８８０Ａ；８８０Ｂは、円筒状に形成された回転中心部８８２Ａ；８８２Ｂから左右方向外側に延在するとともに、開閉体８００の後方に突設されたボス部８１０Ａ；８１０Ｂを挿入可能なリンク孔８８４を有する軸部８８２と、回転中心部８８２Ａ；８８２Ｂから左右方向内側に広がる扇状の噛み合い部８８５とを有しており、回転中心部８８２Ａ；８８２Ｂに挿入された前述のリンクピン８８３を中心として、水平面内を矢印方向（Ｘ−Ｙ方向）に回転可能である。また、一対のリンク８８０Ａ；８８０Ｂ同士は、扇状の噛み合い部８８５に形成された歯部８８５Ａ；８８５Ｂを介して上下方向に重なるように互いに噛み合っており、クランク８７０と連結ピン８８１を介して連結された一方のリンク８８０Ｂが回転すると、上方に重ね合わされた他方のリンク８８０Ａも連動して回転する。つまり、一対のリンク８８０Ａ；８８０Ｂは、ソレノイド８６０の動作に連動して互いに同期して回転する伝達機構であって、当該リンク８８０Ａ；８８０Ｂが同期して動作することにより、開閉体８００の進退動作が前後方向に直線的に行われる。
【００５８】
図７に示すように、センサ収容部７６０は、上壁７３１における前述の球誘導室７２３と対応する位置に開設された図外の収容孔と、当該収容孔の周囲において上方に突設されたセンサ係止部７６０Ａにより構成される。収容孔は、第２大入賞口検出センサＴＳ２を上下方向に挿通可能な矩形状の貫通孔であって、当該収容孔内に第２大入賞口検出センサＴＳ２がその検出孔が下を向いた状態で挿入されることにより、球誘導室７２３内に進入した遊技球が検出される。センサ係止部７６０Ａは、第２大入賞口検出センサＴＳ２の上端面の一部と当接する鉤状部を有しており、当該鉤状部が第２大入賞口検出センサＴＳ２の上端面と接触した状態で収容孔に挿入されることにより脱落が防止される。
【００５９】
次に、上壁７３１から下方に向けて垂下する各壁部（前壁７３４，後部閉塞壁７４０，右側壁７４４，仕切り壁７４６，左側壁７４８）について説明する。
前壁７３４は、上壁７３１の前端縁から下方に垂下する壁であって、クランク保持室７１５を区画するリブ状の係合壁７１７の上端縁と接続するように左右方向に延在する。
即ち、上部ケース７３０の前壁７３４と、下部ケースの係合壁７１７とが接続されることにより、ケーシング７００の前壁部が形成され、当該前壁部によりケーシング７００の前方は外部前方からの不正具等の進入が不可能なように閉塞される。
【００６０】
図７に示すように、前壁７３４の一部と対向する後部閉塞壁７４０は、上壁７３１の右側の後端縁から下方に垂下する壁であって、その下端縁は、前述のソレノイド収容室７１１の一部を形成する底壁７１２の湾曲面７１１Ｂの形状と対応するように湾曲状（扇状）に形成される。つまり、後部閉塞壁７４０が底壁７１２の湾曲面７１１Ｂ上に接続することにより、ケーシング７００の後壁部が形成され、当該後壁部によりケーシング７００の後方、換言すればソレノイド８６０のプランジャ８６０Ａが突出する範囲、より詳細にはプランジャ８６０Ａの左右方向への進退動作範囲の外部後方からの不正具等の進入が不可能なように閉塞される。
なお、本実施形態においては、後部閉塞壁７４０をプランジャ８６０Ａが突出する範囲の後方に限定して設け、コイル等の電気部品が格納されたソレノイドケースの後方を開放した状態としたが、これに限られるものではなく、プランジャ８６０Ａを含むソレノイド８６０の全範囲を閉塞するように後部閉塞壁７４０を設けてもよい。
一方で、後部閉塞壁７４０は、少なくともソレノイド８６０の駆動部分となるプランジャ８６０Ａの後方を閉塞しているため、当該プランジャ８６０Ａの進退動作を外部から挿入される不正具等の操作によって意図的に調整するような不正行為の発生を防止することが可能となり、さらに後部閉塞壁７４０をプランジャ８６０Ａの突出する範囲のみに限定して設け、他の領域を開放することにより材料コストを削減することが可能となる。
【００６１】
図５，図７に示すように、右側壁７４４は、上壁７３１の右端縁より下方に垂下する壁であって、その下端縁は、底壁７１２の右端縁と接続する。つまり、右側壁７４４が底壁７１２における湾曲面７１１Ｂ上に接続することにより、ケーシング７００の右壁部が形成され、当該右壁部によりケーシング７００の側方、換言すればソレノイド８６０のプランジャ８６０Ａの先端部と対向（面する）する範囲が外部側方からの不正具等の進入が不可能なように閉塞される。
【００６２】
また、図６に示すように、右側壁７４４における凹状の下端縁と、底壁７１２における凸状の右端縁（上端縁）との境界部分には、動作調整用の治具が挿入可能な治具挿入孔７５０が内外に貫通する孔として穿設されている。具体的には、治具挿入孔７５０は、右側壁７４４における凹状の下端縁から上方に凸な形状として、前述のソレノイド８６０のプランジャ８６０Ａの先端部と対向する位置に穿設されている。当該治具挿入孔７５０は、プランジャ８６０Ａの左右方向への進退動作に連動するクランク８７０の回転動作、一対のリンク８８０Ａ；８８０Ｂの回転動作を確認するための孔であって、例えば駆動ユニット８５０（ソレノイド８６０，クランク８７０，リンク８８０Ａ；８８０Ｂ）をケーシング７００内に収容した後の検査工程において、検査者が治具挿入孔７５０を通じて針金状の治具を内部に挿入し、当該治具によってプランジャ８６０Ａの先端部を押し込み、或いは、押し込みを開放することにより、プランジャ８６０Ａ、クランク８７０、及びリンク８８０Ａ；８８０Ｂの連動動作を確認（動作確認）することが可能となる。つまり、治具挿入孔７５０は、ケーシング７００におけるソレノイド８６０のプランジャ８６０Ａの先端部と対向する側に設けられた孔であって、当該治具挿入孔７５０が設けられたことにより、周囲がケーシング７００の各壁部によって取り囲まれた駆動ユニット８５０の動作確認を容易に行うことが可能となる。
【００６３】
次に、仕切り壁７４６及び左側壁７４８について説明する。仕切り壁７４６及び左側壁７４８は、前述の下部ケース７１０の球誘導室７２３を区画する仕切り壁７１４及び左側壁７２５と対応する位置において上壁７３１から下方に垂下する壁部であって、仕切り壁７４６の下端縁は、仕切り壁７１４の上端縁と接続し、左側壁７４８の下端縁は、左側壁７２５の上端縁と接続する。これにより、これらの壁部によりケーシング７００の側方、換言すればソレノイド８６０のプランジャ８６０Ａが突出する側とは反対の側方が閉鎖され、不正具等の進入が不可能なように閉塞される。また、当該壁部により球誘導室７２３は前方の開口部を除いて閉塞される。なお、球誘導室７２３の後方は、上壁７３１の左側の後端縁より垂下する後壁７４９と後壁７２７により構成される後壁部により閉塞されている。
【００６４】
次に、駆動源としてのソレノイド８６０と、伝達機構としてのクランク８７０，一対のリンク８８０Ａ；８８０Ｂの動作について概説する。
図７に示すように、ソレノイド８６０が主制御装置１００からの駆動信号により励磁されると、プランジャ８６０Ａは、当該プランジャ８６０Ａの周囲に介挿されたバネのバネ力に抗して右側壁７４４から離れる方向（矢印Ｑ方向）に吸引される。当該プランジャ８６０Ａの吸引により、プランジャ８６０Ａの先端部に連結されたクランク８７０は、回転中心部を回転中心として水平面内において回転する。
具体的には、図５に示すように、クランク８７０の作用部８７２側が矢印で示すＸ方向に変位する。つまり、プランジャ８６０Ａの直動動作が回転動作に変換される。そして、当該クランク８７０の回転動作と連動して、作用部８７２の連結ピン８８１を介して連結され、上壁７３１上において回転自在に支持された一対のリンク８８０Ａ；８８０Ｂの噛み合い部８８５側が矢印で示すＸ方向に変位し、リンク８８０Ａ；８８０Ｂの軸部８８２の先端部に形成されたリンク孔８８４側が矢印で示すＹ方向に変位する。そして、当該リンク８８０Ａ；８８０Ｂの回転動作によって、リンク孔８８４；８８４を介して連結された開閉体８００が後方に向かって移動する。以上の一連の動作によって、開閉体８００によって閉鎖状態とされていた大入賞口８０Ａが開放状態とされ、遊技領域Ｒ１側に打ち出された遊技球の入賞空間Ｐ１への進入が許容される。
【００６５】
そして本例においては、駆動源としてのソレノイド８６０と、当該ソレノイド８６０の直動動作を回転動作に変換する伝達機構の一部を構成するクランク８７０の少なくとも後方及び側方がケーシング７００内に収容された状態において閉塞されているため、外部から挿入される不正具による不正行為を防止することができる。
より詳細には、ソレノイド８６０のプランジャ８６０Ａ及びクランク８７０の後方は、ケーシング７００を構成する下部ケース７１０の底壁７１２の湾曲面７１１Ｂの形状と対応する上部ケース７３０の後部閉塞壁７４０より構成される後壁部により囲まれて閉塞され、プランジャ８６０Ａ及びクランク８７０の右側部は、下部ケース７１０の底壁７１２における湾曲面７１１Ｂ及び上部ケース７３０の右側壁７４４により構成される側壁部により囲まれて閉塞される。そして、これら連動動作を司るソレノイド８６０のプランジャ８６０Ａ、及びクランク８７０への外部からの接触が断絶されることにより、不正具の挿入による開閉体８００の不正な開放行為が確実に防止される。
【００６６】
また、本例においては、ソレノイド８６０を横倒しで配置した状態において、プランジャ８６０Ａが突出する側である右側方の外形形状、具体的には底壁７１２の右側形状（湾曲面７１１Ｂ）を湾曲状（Ｒ形状）としたことにより、直線形状（矩形状）とした場合に比べて、取り付け対象となる遊技盤３０に対する取り付けスペースを省スペース化することが可能となり、遊技盤３０の後方及び前方における部品取り付けに係るレイアウトの自由度を向上させることが可能となる。なお、底壁７１２の湾曲面７１１Ｂの形状は、遊技盤３０の遊技領域３１の右下部分の形状（本例では湾曲形状）と同等の形状であれば湾曲形状に限らず、他の形状として形成してもよい。遊技領域３１の右下部分の形状と同等、或いは、これに対応する形状に形成することにより、遊技盤３０における遊技領域３１の裏面のスペースを有効に利用することが可能となる。
【００６７】
また、本例においては、ソレノイド８６０を横倒しで配置した状態において、プランジャ８６０Ａが突出する側である右側方に治具挿入孔７５０を設けたことにより、当該治具挿入孔７５０を経由して、閉塞状態にあるソレノイド８６０のプランジャ８６０Ａ、クランク８７０及びこれに連動する他の部品の動作確認を容易に行うことができる。
なお、本例においては、治具挿入孔７５０を上部ケース７３０を構成する右側壁７４４側に設けたが、当該右側壁７４４と接続する下部ケース７１０の底壁７１２側に設けてもよい。より好適には、軸状に突出するプランジャ８６０Ａの軸心、或いは当該軸心と上下方向に平行な位置に設ければ、治具を挿入した際に治具の先端によりプランジャ８６０Ａを奥側（左側）に不要な応力を加えることなく押し込むことが可能となる。なお、本例においては、プランジャ８６０Ａの先端部とクランク８７０とを連結する連結ピン８６２の頭部と対応する位置に治具挿入孔７５０を設けた構成としている。
【００６８】
次に、図８を参照し、パチンコ機１の遊技の流れについて概説するとともに、前述の第２大入賞装置８０が動作する特別遊技について説明する。図８に示すとおり、パチンコ機１は、主制御装置１００、副制御装置２００、払出制御装置４００、及び発射制御装置５００を主たる構成として備え、主制御装置１００によるメイン処理の実行に基づいて生成された各種のコマンドにより他の制御装置が動作する。上記各制御装置は、何れもＣＰＵ（Ｃｅｎｔｒａｌ  Ｐｒｏｃｅｓｓｉｎｇ  Ｕｎｉｔ）と、遊技処理に必要なプログラム、及び、遊技処理に必要なデータを格納したＲＯＭ（Ｒｅａｄ  Ｏｎｌｙ  Ｍｅｍｏｒｙ）と、ＣＰＵがＲＯＭに格納されたコンピュータプログラムに従って処理を行うための一時記憶領域であるＲＡＭ（Ｒａｎｄｏｍ  Ａｃｃｅｓｓ  Ｍｅｍｏｒｙ）とを備えるマイクロコンピュータであって、遊技盤３０の背面側に図外の取付機構を介して配設されている。以下、主制御装置１００による主要な処理について説明する。
【００６９】
主制御装置１００は、第１始動入賞部品６０又は第２始動入賞部品６１への入賞を契機としてそれぞれ出力される第１始動口検出センサＳＳ１及び第２始動口検出センサＳＳ２からの入力を契機として、特別遊技実行の可否に係る当否抽選処理、当否抽選の結果が当りである場合に実行される特図種類（大当り種類）抽選処理、及び変動時間決定処理を実行する。
【００７０】
当否抽選処理は、第１始動口検出センサＳＳ１又は第２始動口検出センサＳＳ２からの入力を契機として取得される（当否抽選用）乱数（０〜６５５３６）と、当該複数の乱数に対して「当り」又は「外れ」が規定された所定の当否抽選用テーブルとを参照し、取得された乱数に対応する当否抽選結果（「当り」又は「外れ」を選出する。ここで、当否抽選の結果が「当り」となる確率は、例えば３９９分の１に設定されているが、所謂「確変遊技（確率変動遊技）」中である場合には、当該確変遊技中において参照される他の当否抽選用テーブルが参照されることにより、当否抽選の結果が「当り」となる確率が、例えば４０分の１まで向上する。また、乱数の最大記憶数（保留数）は、第１始動口検出センサＳＳ１及び第２始動口検出センサＳＳ２からの入力に対してそれぞれ４個まで（最大８個）とされており、当該記憶された乱数は始動条件を満たしたことに基づいて順次読み出され、当否抽選が実行される。ここで、始動条件とは、特別図柄が変動中でないこと、かつ、特別遊技中でないことであり、当該条件を満たす場合に上記当否抽選処理が実行される。
【００７１】
上記当否抽選の結果が「当り」である場合には、主制御装置１００による特図種類抽選処理が実行される。特図種類抽選処理は、第１始動口検出センサＳＳ１又は第２始動口検出センサＳＳ２からの入力を契機として取得される（特図種類抽選用）乱数（０〜９９）と、当該複数の乱数に対して「特別図柄Ａ」〜「特別図柄Ｄ」までの特別図柄の種類が規定された所定の特図種類抽選用テーブルとを参照し、取得された乱数に対応する特別図柄の種類を選出する。
ここで、例えば「特別図柄Ａ」が選出された場合、図外の第１特別図柄表示装置又は、第２特別図柄表示装置上に表示される数字は「１・１」であり、さらに当該「特別図柄Ａ」が停止表示された後に実行される後述の特別遊技（大当り遊技）は、第１大入賞装置７０の動作による４Ｒ（ラウンド）の特別遊技として規定されている。また、例えば「特別図柄Ｂ」が選出された場合、図外の第１特別図柄表示装置又は、第２特別図柄表示装置上に表示される数字は「５・５」であり、さらに当該「特別図柄Ｂ」が停止表示された後に実行される後述の特別遊技（大当り遊技）は、第１大入賞装置７０の動作による８Ｒ（ラウンド）の特別遊技として規定されている。また、例えば「特別図柄Ｃ」が選出された場合、図外の第１特別図柄表示装置又は、第２特別図柄表示装置上に表示される数字は「３・３」であり、さらに当該「特別図柄Ｃ」が停止表示された後に実行される後述の特別遊技（大当り遊技）は、第２大入賞装置８０の動作による１０Ｒ（ラウンド）の特別遊技として規定されている。また、例えば「特別図柄Ｄ」が選出された場合、図外の第１特別図柄表示装置又は、第２特別図柄表示装置上に表示される数字は「７・７」であり、さらに当該「特別図柄Ｄ」が停止表示された後に実行される後述の特別遊技（大当り遊技）は、第２大入賞装置８０の動作による１６Ｒ（ラウンド）の特別遊技として規定されている。
【００７２】
以上のとおり、特図種類抽選処理は、特別図柄の態様（本例の場合数字の並び）を決定する処理であると同時に、特別図柄の停止後に実行される特別遊技の態様をも決定する処理であり、特別遊技の態様は当該処理によって選出された特別図柄の種類に応じて決定される。また、詳細については省略するが、上記複数の特別図柄が選択される割合は、特図種類抽選用乱数が、第１始動口検出センサＳＳ１又は第２始動口検出センサＳＳ２のいずれかの入力を契機として取得されたものであるかによって異なるように設定されており、例えば第２始動口検出センサＳＳ２の入力を契機して取得された乱数に基づいて実行される特図種類抽選処理の方が、第１始動口検出センサＳＳ１の入力を契機して取得された乱数に基づいて実行される特図種類抽選処理よりも「特別図柄Ｃ」又は「特別図柄Ｄ」が選出される割合が高く設定されている。なお、上記特別図柄の種類は例示であって、さらに複数の特別図柄の種類を設け、特別遊技の態様について例えば１Ｒ，２Ｒ，１２Ｒといったより多彩な態様を設定してもよい。
【００７３】
次に、変動時間決定処理について説明する。変動時間決定処理は、第１始動口検出センサＳＳ１又は第２始動口検出センサＳＳ２からの入力を契機として取得される（変動時間決定用）乱数（０〜９９）と、当該複数の乱数に対して特別図柄の複数の変動時間が規定された所定の変動時間決定用テーブルとを参照し、取得された乱数に対応する変動時間を
を選出する。本例において特別図柄の変動時間は、「２秒」，「４秒」，「８秒」，「１１秒」，「３０秒」，「４５秒」，「６０秒」等が規定されており、乱数に対応するいずれかの変動時間が選出される。なお、変動時間決定用テーブルは、前述の当否抽選結果、及び現在の遊技状態（例えば「通常状態」又は「確変状態」）に応じて参照される複数のテーブルから構成されている。例えば、当否抽選の結果が「当り」である場合には、変動時間が「４５秒」，「６０秒」に決定される割合が高く設定されたテーブルが参照されることにより、変動時間が長くなる傾向となる。また、遊技状態が「確変遊技」である場合には、変動時間が「２秒」，「４秒」に決定される割合が高く設定されたテーブルが参照されることにより、変動時間が短くなる傾向となる。また、上記変動時間決定処理によって決定された変動時間は、演出表示装置３００上において変動表示される演出図柄Ｓの変動時間として用いられ、第１特別図柄表示装置又は第２特別図柄表示装置上において変動表示される特別図柄と、演出表示装置３００上において変動表示される演出図柄Ｓの変動時間は、ほぼ同期することとなる。
【００７４】
主制御装置１００は、上記当否抽選処理、特別図柄種類抽選処理、及び変動時間決定処理によって選出した結果に基づいて、第１特別図柄表示装置又は第２特別図柄表示装置に
制御信号を出力して特別図柄の変動を開始させるとともに、上記結果情報を含む演出図柄変動コマンドを生成し、副制御装置２００に送信する。そして、副制御装置２００側では、演出図柄変動コマンドに含まれる各種の情報に応じて予告パターンやリーチパターン、或いはその他の演出上のパターンを決定し、決定されたパターン情報を含む変動開始コマンドを演出表示装置３００側に送信する。演出表示装置３００側では、変動開始コマンドの受信に基づいて演出図柄Ｓの変動表示を開始させるとともに、予告パターンやリーチパターンに対応する画像データや動画データを図外のＲＯＭ等の記憶手段から読み出し、読み出したデータをその表示画面上に出力する。そして、変動表示を開始した演出図柄は、予め決定された変動時間の経過とともに前述の当否抽選の結果を示す態様で停止表示され、遊技者に対して当否抽選の結果を報知する。ここで、例えば当否抽選の結果が「当り」である場合の停止態様は、同一の数字又はキャラクターが予め定められた当りライン上に直線的に停止する態様であり、「外れ」である場合の態様は上記以外の態様である。
【００７５】
次に、前述の特図抽選の結果が「当り」であり、特別図柄及び演出図柄の停止態様が「当り」であることを示す態様で停止した後に実行される特別遊技処理について説明する。特別遊技処理は、主制御装置１００の制御によって第１大入賞装置７０又は第２大入賞装置８０を動作させ、遊技領域３１に打ち出された遊技球をそれぞれの大入賞口７０Ａ又は８０Ａ内に入賞可能とする処理であり、主制御装置１００は、特別図柄及び演出図柄の停止後、前述の特別図柄の種類に応じて第１大入賞装置７０又は第２大入賞装置８０を動作させ、互いに異なる態様の特別遊技を開始させる。
【００７６】
主制御装置１００は、特別図柄の種類が「特別図柄Ａ」又は「特別図柄Ｂ」である場合には、第１大入賞装置７０のソレノイドＳＯＬ１に対して駆動信号を出力し、４Ｒ又は８Ｒの特別遊技を実行する。ここで、ここで「１ラウンド」は、ソレノイドＳＯＬ１の励磁によって大入賞口開閉体７０Ｂが開放状態とされてから予め設定された上限数の遊技球が第１大入賞口検出センサＴＳ１によって検出されるか、又は、大入賞口開閉体７０Ｂが開放状態となってから所定の時間が経過するまでのうち、何れか早い条件が成立するまで継続し、４Ｒである場合には当該開閉動作が４回繰り返し実行され、８Ｒである場合には、当該開閉動作が８回繰り返される。なお、各ラウンド間における大入賞口開閉体７０Ｂの閉鎖時間は例えば２．５秒に設定されている。
つまり、遊技者は第１大入賞装置７０が開放動作する特別遊技中において、第１大入賞装置７０内に遊技球が取り込まれるように遊技球を打ち出すことにより（遊技領域Ｌ１側への打出し）、一時に多くの賞球の払出しを受けることが可能となる。
【００７７】
一方、主制御装置１００は、特別図柄の種類が「特別図柄Ｃ」又は「特別図柄Ｄ」である場合には、第２大入賞装置８０のソレノイド８６０に対して駆動信号を出力し、１０Ｒ又は１６Ｒの特別遊技を実行する。ここで、ここで「１ラウンド」は、ソレノイド８６０の励磁によって開閉体８００が遊技盤３０の後方に移動して大入賞口８０Ａが開放状態とされてから予め設定された上限数の遊技球が第２大入賞口検出センサＴＳ２によって検出されるか、又は、開閉体８００が後方に移動して大入賞口８０Ａが開放状態となってから所定の時間が経過するまでのうち、何れか早い条件が成立するまで継続し、１０Ｒである場合には当該開閉動作が１０回繰り返し実行され、１６Ｒである場合には、当該開閉動作が１６回繰り返される。また前記同様に、各ラウンド間における開閉体８００の閉鎖時間は例えば２．５秒に設定されている。つまり、遊技者は第２大入賞装置８０が開放動作する特別遊技中において、第２大入賞装置８０内に遊技球が取り込まれるように遊技球を打ち出すことにより（遊技領域Ｒ１側への打出し）、一時に多くの賞球の払出しを受けることが可能となる。
【００７８】
主制御装置１００は、上記の主要な処理の他、第１始動口検出センサＳＳ１、第２始動口検出センサＳＳ２、一般入賞口検出センサＩＳ、第１大入賞口検出センサＴＳ１及び第２大入賞口検出センサＴＳ２のいずれかからの入力を契機として賞球払出しコマンドを生成し、払出制御装置４００に出力する賞球払出処理を実行する。賞球払出しコマンドには、各センサと予め対応付けられた賞球数情報が含まれており、払出制御装置４００は当該賞球数情報に基づいて賞球払出装置４５０を駆動制御し、遊技者に対して遊技の対価としての賞球を払出す。ここで、例えば第１始動口検出センサＳＳ１、第２始動口検出センサＳＳ２、及び一般入賞口検出センサＩＳからの入力に対する賞球数は３個に設定されており、第１大入賞口検出センサＴＳ１及び第２大入賞口検出センサＴＳ２からの入力に対する賞球数は１５個に設定されている。これにより、特別遊技においては、遊技者は一時に大量の賞球を得ることが可能となっている。
【符号の説明】
【００７９】
１  パチンコ機，３０  遊技盤，３１  遊技領域，６１  第１始動入賞部品，
６２  第２始動入賞部品，７０  第１大入賞装置，８０  第２大入賞装置，
８０Ａ  大入賞口，１００  主制御装置，２００  副制御装置，３００  演出表示装置，
６００  大入賞口形成部品，７００  ケーシング，７１０  下部ケース，７１２  底壁，７３０  上部ケース，７４０  後部閉塞壁，７４４  右側壁，７５０  治具挿入孔，
８００  開閉体，８５０  駆動ユニット，８６０  ソレノイド，８７０  クランク，
８８０Ａ；８８０Ｂ  リンク，９００  ユニット挿入孔，Ｌ１；Ｒ１  遊技領域。 
【図１】
2014104285.tif 000003
【図５】
2014104285.tif 000004
【図２】
2014104285.tif 000005
【図３】
2014104285.tif 000006
【図４】
2014104285.tif 000007
【図６】
2014104285.tif 000008
【図７】
2014104285.tif 000009
【図８】
2014104285.tif 000010